(57)【特許請求の範囲】
【請求項１】
上階の外壁よりも下階の外壁が屋内側に入り込んだ建物の階間構造であって、
階間において幅方向に延びる階間躯体部と、
前記階間躯体部より屋外側へ突出し、幅方向に延びる上面および底面を有し、前記底面が前記階間躯体部の下端面上に位置する突出部材と、
前記階間躯体部から屋内側に延在し、前記階間躯体部の下端面上に位置する屋内側天井下地面とを備え、
前記突出部材は、
前記突出部材の上面に接する上端面と、前記突出部材の底面に沿う下端面とを有し、前記下端面に受入れ部を有するブラケットと、
前記ブラケットの受入れ部に受け入れられて幅方向に延び、その下面が前記突出部材の底面上に位置する底板下地とを含み、
前記ブラケットの受入れ部は、前記底板下地が嵌め入れられる切欠き部と、前記切欠き部の縁部から幅方向に延在し、前記底板下地に当接する下地当接部とを含み、
前記底板下地は、前記下地当接部に固定されている、階間構造。
【請求項２】
前記底板下地に固定され、前記突出部材の突出方向に沿って延びる底板面材をさらに備える、請求項１に記載の階間構造。
【請求項３】
前記底板面材は、前記階間躯体部よりも屋内側にまで延在して、前記屋内側天井下地面に固定される、請求項２に記載の階間構造。
【請求項４】
前記突出部材は、幅方向に分割された複数の突出ユニットによって構成され、
前記底板面材は、隣接する前記突出ユニットを跨って配置される、請求項２または３に記載の階間構造。
【請求項５】
前記突出部材は、庇を構成する庇本体部であり、
前記庇本体部は、前記上階の外壁の外壁面材よりも下方位置において前記階間躯体部に固定された庇支持部材に取付けられている、請求項１〜４のいずれかに記載の階間構造。
【発明の詳細な説明】
【技術分野】
【０００１】
本発明は、建物の階間構造であって、特に、上階の外壁よりも下階の外壁が屋内側に入り込んだ建物の階間構造に関する。
【背景技術】
【０００２】
建物の階間において外壁面材よりも屋外側へ突出する突出部材の一例として、玄関や勝手口などの開口部の上方に設けられる庇がある。
【０００３】
木造の建物における庇の取付けは、主に、次の二つの方法のいずれかによって行われている。一つ目は、たとえば特開平９−３１６９９７号公報（特許文献１）に開示されているように、外壁面材の施工後に、外壁面材に庇本体を固定する方法である。二つ目は、外壁面材の施工前に、階間に位置する躯体部に、庇本体を固定する方法である。
【０００４】
特許文献１には、上階の外壁よりも屋内側に入り込んだ下階の天井部分と庇の天井部分とに、連続した軒天井を設けることが開示されている。
【先行技術文献】
【特許文献】
【０００５】
【特許文献１】特開平９−３１６９９７号公報
【発明の概要】
【発明が解決しようとする課題】
【０００６】
特許文献１では、下階の天井部分と庇の天井部分とに連続して軒天井が設けられるため、これらの天井部分の境界に継ぎ目が生じず、軒天井全体の美観が向上される。しかしながら、軒天井を構成する底板面材は、庇の突出方向に真直ぐ架け渡された桟材に、底板下地となるスペーサを介して固定されている。このような構成の場合、幅方向に複数の底板下地が必要となり、また、底板下地の位置決めが困難である。
【０００７】
本発明は、上記のような課題を解決するためになされたものであって、その目的は、底板下地の取付けを容易に行うことのでき、かつ、軒天井の美観を向上させることのできる階間構造を提供することである。
【課題を解決するための手段】
【０００８】
この発明のある局面に従う階間構造は、上階の外壁よりも下階の外壁が屋内側に入り込んだ建物の階間構造であって、階間において幅方向に延びる階間躯体部と、突出部材と、屋内側天井下地面とを備える。突出部材は、階間躯体部より屋外側へ突出し、幅方向に延びる上面および底面を有し、底面が階間躯体部の下端面上に位置している。屋内側天井下地面は、階間躯体部から屋内側に延在し、階間躯体部の下端面上に位置している。突出部材は、突出部材の上面に接する上端面と、突出部材の底面に沿う下端面とを有し、下端面に受入れ部を有するブラケットと、ブラケットの受入れ部に受け入れられて幅方向に延び、その下面が突出部材の底面上に位置する底板下地とを含む。
【０００９】
好ましくは、ブラケットの受入れ部は、底板下地に当接する下地当接部を含み、底板下地は、下地当接部に固定されている。
【００１０】
好ましくは、ブラケットの受入れ部は、底板下地が嵌め入れられる切欠き部をさらに含む。この場合、下地当接部は、切欠き部の縁部から幅方向に延在することが望ましい。
【００１１】
好ましくは、階間構造は、底板下地に固定され、突出部材の突出方向に沿って延びる底板面材をさらに備える。
【００１２】
底板面材は、階間躯体部よりも屋内側にまで延在して、屋内側天井下地面に固定されることが望ましい。
【００１３】
突出部材は、幅方向に分割された複数の突出ユニットによって構成されてもよい。この場合、底板面材は、隣接する突出ユニットを跨って配置されてもよい。
【００１４】
好ましくは、突出部材は、庇を構成する庇本体部であり、庇本体部は、上階の外壁の外壁面材よりも下方位置において階間躯体部に固定された庇支持部材に取付けられている。
【発明の効果】
【００１５】
本発明によれば、底板下地の取付けを容易に行うことのでき、かつ、軒天井の美観を向上させることができる。
【図面の簡単な説明】
【００１６】
【図１】本発明の実施の形態において、庇が取付けられた建物を模式的に示す模式断面図である。
【図２】本発明の実施の形態に係る庇取付け構造を示す断面図である。
【図３】本発明の実施の形態に係る庇取付け方法に従った施工手順を示すフローチャートである。
【図４】本発明の実施の形態における階間躯体部の構造躯体を示す正面図である。
【図５】本発明の実施の形態において、階間躯体部の構造躯体に下地部材が固定された状態を示す正面図である。
【図６】本発明の実施の形態において、庇支持部材が取付けられる直前の階間躯体部の下地部材が固定された状態を示す正面図である。
【図７】本発明の実施の形態において、庇支持部材が固定された状態を示す正面図である。
【図８】本発明の実施の形態において、庇支持部材が固定された状態を示す断面図である。
【図９】本発明の実施の形態において、上部水切が固定された状態を示す正面図である。
【図１０】本発明の実施の形態において、外壁面材が固定された状態を示す正面図である。
【図１１】本発明の実施の形態において、外壁面材が固定された状態を示す断面図である。
【図１２】本発明の実施の形態において、庇本体部が庇支持部材に仮固定される様子を示す断面図である。
【図１３】本発明の実施の形態において、庇本体部と庇支持部材との係合状態、および、外壁面材の下端部と庇本体部との取合い部における水切構造を示す断面図である。
【図１４】本発明の実施の形態において、外壁面材の下端部と庇本体部との取合い部における水切構造を示す断面図である。
【図１５】本発明の実施の形態における庇本体部のブラケットの下端部に形成された受入れ部の構成例を模式的に示す斜視図である。
【図１６】本発明の実施の形態における階間構造を模式的に示す断面図である。
【図１７】本発明の実施の形態における軒天ボードの配置例を模式的に示す図である。
【図１８】本発明の実施の形態における庇本体部のブラケットの下端部に形成された受入れ部の他の構成例を模式的に示す斜視図である。
【発明を実施するための形態】
【００１７】
本発明の実施の形態について図面を参照しながら詳細に説明する。なお、図中同一または相当部分には同一符号を付してその説明は繰返さない。
【００１８】
本実施の形態では、建物の階間に位置する突出部材は、庇であるものとする。したがって、庇が取付けられた建物の階間構造について説明する。
【００１９】
＜概要について＞
はじめに、図１および図２を参照して、本実施の形態に係る階間構造の前提となる庇の取付け構造例の概要について説明する。図２には、図１のＩＩ−ＩＩ線に沿う断面図が示されている。
【００２０】
図１を参照して、建物は、たとえば２階建てであり、１階（上階）の外壁２Ｂよりも２階（下階）の外壁２Ａが屋内側に入り込んだ部分、たとえば入隅空間９を有している。入隅空間９は、典型的には、１階の外壁２Ａに設けられた玄関または勝手口の前方空間（屋外側空間）である。庇３は、１階と２階の階間であって、１階の入隅空間９の天井周りに設けられている。
【００２１】
庇３は、外壁２Ｂの直交する２つの面のうち、一方面に隣接する庇３Ａと、他方面に隣接する庇３Ｂとによって構成されている。庇３の取付け構造については、一方の庇３Ａに着目して説明する。この場合、図１中、矢印Ａ１およびＡ２は、それぞれ、庇３の幅方向および奥行き方向を示している。
【００２２】
図２に示されるように、階間部の外壁２Ｂは、幅方向に延びる階間躯体部１０と、階間躯体部１０に固定される外装部材２０とを含む。外装部材２０は、階間躯体部１０に隣接した状態で固定される断熱材２１と、断熱材２１よりも屋外側に位置する外壁面材２２と、断熱材２１と外壁面材２２との間に形成された通気層２３とを含む。外壁面材２２は、たとえばサイディング材により構成される。
【００２３】
庇３は、外壁面材２２よりも下方に位置する庇本体部３０と、庇本体部３０の底面３０ｂに接するように配置される軒天ボード（軒天面材）６１とを含む。本実施の形態では、庇支持部材４０を介して庇本体部３０が固定される。そのため、庇本体部３０を取り付ける前に外壁面材２２を施工でき、かつ、外壁面材２２を介すことなく庇本体部３０を設置することができる。
【００２４】
以下に、このような庇支持部材４０を用いた庇取付け構造および方法について、詳細に説明する。
【００２５】
＜庇取付け構造および方法＞
庇支持部材４０を用いた庇３の取付け構造および方法を、図３のフローチャートに示した施工順序に沿って説明する。
【００２６】
まず、図２および図４を参照して、庇取付け構造の前提となる、建物の構造躯体について説明する。建物の構造躯体は、階間躯体部１０に含まれる。階間躯体部１０は、建物の構造躯体として、幅方向に延びる胴差部１１と、胴差部１１よりも下側において幅方向に延びる垂れ壁下地１２とを含んでいる。垂れ壁下地１２は、入隅空間９の箇所にのみ設けられ、入隅空間９の両側に位置する柱１４間と接続されている。胴差部１１と垂れ壁下地１２とは、複数の縦桟材１３によって接続されている。なお、入隅空間９の出隅部に位置する柱１４（図４において左側の柱１４）は、図１に示した化粧柱１８を構成する。
【００２７】
このような建物の構造躯体に対し、庇３を取付けるための部材が順次固定される。はじめに、階間躯体部１０の構造躯体の屋外面（屋外側の面）、すなわち胴差部１１および垂れ壁下地１２の屋外面に、下地部材１５を固定する（工程Ｐ１）。図２および図５に示されるように、下地部材１５は、胴差部１１の上端と垂れ壁下地１２の下端との高さ範囲内に設けられる。望ましくは、下地部材１５は、その下面の高さが垂れ壁下地１２の下面と同じ高さになるように配置される。下地部材１５は、階間躯体部１０の構成に含まれる。
【００２８】
下地部材１５は、矩形状断面を有している。下地部材１５の厚み（奥行き寸法）は、外装部材２０を構成する断熱材２１の厚みとほぼ同じである。下地部材１５は、垂れ壁下地１２の範囲だけでなく、庇３の取付け範囲に応じて、幅方向に延びている。下地部材１５は、同じ奥行き寸法の複数の横桟材によって構成されてもよい。
【００２９】
次に、外装部材２０を構成する断熱材２１が、下地部材１５を避けて、胴差部１１や柱１４などの構造躯体に固定される（工程Ｐ２）。断熱材２１は、下地部材１５の上端面に接するように配置される。下地部材１５の厚みと断熱材２１の厚みは同じであるので、下地部材１５の屋外面と断熱材２１の屋外面とは面一状である。
【００３０】
この状態で、防水シート１６が、下地部材１５の屋外面に貼り付けられる（工程Ｐ３）。防水シート１６は、少なくとも、下地部材１５と断熱材２１との境界部分も覆うように貼り付けられる。防水シート１６も、階間躯体部１０の構成に含まれる。
【００３１】
次に、庇支持部材４０の施工が開始される。まず、庇支持部材４０の外形形状と略同形状のプレカット面材４９を、階間躯体部１０に固定する（工程Ｐ４）。プレカット面材４９は、庇支持部材４０のベース部として機能する。プレカット面材４９の下端も、垂れ壁下地１２の下端高さに合わせて配置される。プレカット面材４９が固定された状態の正面図が、図６に示されている。なお、庇支持部材４０の厚みや形状によっては、プレカット面材４９を省いてもよい。
【００３２】
庇支持部材４０は、プレカット面材４９の屋外面に固定される（工程Ｐ５）。ただし、庇支持部材４０は、その下端高さが、垂れ壁下地１２の下面よりも若干（たとえば１０ｍｍ）高くなるように配置されることが望ましい。庇支持部材４０が固定された状態の正面図および断面図が、それぞれ図７および図８に示されている。なお、図８では、防水シート１６の図示が省略されている。
【００３３】
ここで、図７および図８を参照して、庇支持部材４０の構造例について説明する。庇支持部材４０は、たとえば鋼材により形成されており、躯体固定部４１，４２，４５と、庇取付け部４３，４４とを含む。躯体固定部４１，４２，４５は、上下方向に延び、（プレカット面材４９を介して）階間躯体部１０に当接する。躯体固定部４１，４２，４５は、庇支持部材４０の上端部、下端部および中央部にそれぞれ設けられている。各躯体固定部４１，４２，４５には、ネジ等の固定具を挿通するための貫通穴（図示せず）が設けられている。
【００３４】
庇取付け部４３は、躯体固定部４１，４５に連結され、庇取付け部４４は、躯体固定部４５，４２に連結されている。各庇取付け部４３，４４は、躯体固定部４１，４２，４５よりも屋外側において上下方向に延びる庇当接面と、庇当接面の上端および下端にそれぞれ連結され、水平方向に延びる上面および下面とを有している。庇取付け部４３，４４のうち上側に位置する庇取付け部４３の上面には、被掛止部としての貫通穴４０ａが設けられている。
【００３５】
庇取付け部４３，４４は、それぞれ、庇当接面に設けられた被係合部４０ｂ，４０ｃをさらに有している。被係合部４０ｂ，４０ｃには、庇本体部３０を庇支持部材４０（庇取付け部４３，４４）に固定するための係合固定部材４８が係合される。たとえば、係合固定部材４８はネジである。この場合、被係合部４０ｂ，４０ｃは、奥行き方向に延びる雌ネジとして形成される。被係合部４０ｂ，４０ｃの屋内側端部は、それぞれ、庇取付け部４３，４４の裏側の小空間内に位置している。
【００３６】
庇支持部材４０が固定されると、この段階で、上部水切５０が階間躯体部１０に固定される（工程Ｐ６）。図９に示されるように、上部水切５０は、庇支持部材４０の上方に位置し、かつ、庇支持部材４０の上端縁とは間隔をあけて配置されている。上部水切５０もまた、たとえば鋼材により形成されている。上部水切５０は、階間躯体部１０の屋外面に当接する躯体当接部５１と、躯体当接部５１の下端部から屋外側へ延出する延出部５２とを含む。延出部５２は、屋外側へ向かって斜め下方に延びていてもよい。上部水切５０の機能については、後述する。
【００３７】
以上で、外壁面材２２を施工する前の大工工事が終了する。なお、庇支持部材４０および上部水切５０の取付け順序は、逆であってもよい。
【００３８】
階間躯体部１０に庇支持部材４０および上部水切５０が固定されると、この段階で、外壁面材２２が固定される（工程Ｐ７）。外壁面材２２は、断熱材２１との間に通気層２３が形成されるように、断熱材２１との間に胴縁（図示せず）を挟んで固定される。また、図１０および図１１に示されるように、外壁面材２２は、上部水切５０の躯体当接部５１の屋外側を覆う位置に配置される。
【００３９】
ここで、上部水切５０の機能について説明する。図１１に示すような位置に外壁面材２２が固定されることで、上部水切５０の延出部５２は、外壁面材２２の裏面側から下端面（小口）に沿って延びるように配置される。延出部５２は、外壁面材２２の下端面に接していてもよい。上部水切５０の延出部５２には、外装部材２０の通気層２３に連通する通気孔５０ａが設けられている。したがって、上部水切５０の延出部５２によって、外装部材２０の通気層２３への雨水の浸入が防止されるとともに、図２に示されるように、通気層２３への通気経路が確保される。また、延出部５２が屋外側へ向かって斜め下方に延びているため、通気層２３内の水を適切に排水することができる。
【００４０】
外壁面材２２が施工されると、庇本体部３０の取付けが行われる。本実施の形態では、庇本体部３０を仮固定してから（工程Ｐ８）、本固定する（工程Ｐ９）。具体的には、図１２に示されるように、庇本体部３０を持ち上げて、庇支持部材４０の貫通穴４０ａに、庇本体部３０に設けられたフック部３５が嵌め入れられる。これにより、庇本体部３０のフック部３５が貫通穴４０ａに掛止されるため、庇本体部３０が庇支持部材４０に仮固定される。なお、図１２では、上部水切５０および外壁面材２２の図示が省略されている。
【００４１】
庇本体部３０が仮固定されると、庇支持部材４０の庇取付け部４３，４４の庇当接面と、庇本体部３０の取付け面３１とが当接した状態となる。これにより、庇本体部３０の本固定を容易にすることができる。
【００４２】
ここで、図２、図１２および図１５を参照して、庇本体部３０の構造例について説明する。庇本体部３０は、幅方向に延びる上面３０ａおよび底面３０ｂを有している。庇本体部３０は、幅方向に延びる上記取付け面３１と、取付け面３１に交差し、幅方向に間隔を置いて配置される複数のブラケット３２と、庇本体部３０の上面３０ａを構成する屋根面３３とを含む。庇本体部３０の底面３０ｂの高さは、垂れ壁下地１２の下面、すなわち階間躯体部１０の下面１０ａと同じ高さであることが望ましい。
【００４３】
取付け面３１は、奥行き方向に貫通する複数の貫通穴３１０を有している。貫通穴３１０は、庇支持部材４０の被係合部４０ｂ，４０ｃの位置に合うように、予め設けられている。上記フック部３５は、取付け面３１の屋内面（屋内側の面）の上端部に設けられている。ブラケット３２は、庇本体部３０の上面３０ａに接する上端面３２ａと、庇本体部３０の底面３０ｂに沿う下端面３２ｂとを有し、庇本体部３０の自重を負担する。ブラケット３２の下端部には、少なくとも１つの軒天下地３６が固定される。ブラケット３２は、下端面３２ｂに、軒天下地３６を受け入れるための受入れ部３２０が設けられていることが望ましい。
【００４４】
軒天下地３６の下面は、庇本体部３０の底面３０ｂ上（底面３０ｂの延長面上）に位置している。つまり、軒天下地３６の下面の高さと、庇本体部３０の底面３０ｂの高さとは一致している。なお、受入れ部３２０の具体的な構成例については後述する。
【００４５】
庇本体部３０の屋根面３３は、取付け面３１よりも屋内側において幅方向に延びる屋内側端部３３ａと、屋内側端部３３ａより上方に立ち上がる鍔部３４とを有している。鍔部３４は、階間躯体部１０（より具体的には、防水シート１６）の屋外面に当接する。
【００４６】
庇本体部３０を本固定する場合、図１３に示されるように、庇本体部３０の取付け面３１に設けられた貫通穴３１０、および、庇支持部材４０の被係合部４０ｂ，４０ｃに、係合固定部材４８としてのネジが挿通される。係合固定部材４８が被係合部４０ｂ，４０ｃに係合（螺合）されることによって、庇本体部３０が、庇支持部材４０に強固に固定される。
【００４７】
庇本体部３０が本固定されると、庇本体部３０の屋根面３３の鍔部３４が、階間躯体部１０に固定される。鍔部３４は、ネジなどの固定具によって固定される。このように鍔部３４が階間躯体部１０に固定されることで、屋根面３３の屋内側端部３３ａと鍔部３４とは、下部水切５３として機能する。つまり、屋内側端部３３ａと鍔部３４とによって、階間躯体部１０と庇本体部３０の屋根面３３との間の隙間が覆われる。
【００４８】
このように、本実施の形態において、外壁面材２２の下端部と庇本体部３０（庇３）との取合い部に配置される水切部材５には、少なくとも、上部水切５０と下部水切５３とが含まれる。
【００４９】
次に、階間躯体部１０と庇本体部３０の屋根面３３との間の隙間への浸水を防止するために、防水部材が施工される（工程Ｐ１０）。具体的には、鍔部３４の上端縁に沿って、湿式シール材７４が施工される。また、庇本体部３０が、複数のユニットとして幅方向に分割されている場合には、一方のユニットの屋内側端部３３ａと、隣接する他方のユニットの屋内側端部３３ａとの境界部にも、湿式シール材７５が施されることが望ましい。
【００５０】
また、防水部材は、湿式シール材７４，７５だけでなく、上部水切５０および下部水切５３の間に位置する水切材をさらに含むことが望ましい。この水切材は、たとえば、図１４に示されるように、屋根面３３の鍔部３４を覆うように、階間躯体部１０に固定されるカバー材７０である。カバー材７０もまた、たとえば鋼材により形成される。
【００５１】
カバー材７０は、階間躯体部１０に当接される躯体当接部７１と、傾斜部７２と、屋根当接部７３とを含む。躯体当接部７１にネジ等の固定具が貫通されることによって、カバー材７０が階間躯体部１０に固定される。躯体当接部７１の上端は、上部水切５０の躯体当接部５１の下端と接することが望ましい。傾斜部７２は、鍔部３４の固定具を覆う。屋根当接部７３は、屋根面３３の屋内側端部３３ａから屋根面３３の本体部にまで延びていることが望ましい。
【００５２】
このように、本実施の形態では、外壁面材２２の下端部と庇本体部３０との取合い部には、３つの水切材が配置されるため、階間躯体部１０や庇３の内部への浸水を適切に防止することができる。
【００５３】
最後に、軒天井面６０および入隅空間９の天井面９０を施工する。まず、軒天下地３６が、庇本体部３０の下端部に固定される（工程Ｐ１１）。上述のように、軒天下地３６は、庇本体部３０のブラケット３２の下端面３２ｂに設けられた受入れ部３２０に受け入れられて、固定される。
【００５４】
図１５に示されるように、本実施の形態では、受入れ部３２０は、軒天下地３６の断面形状に合わせて切り欠かれた切欠き部３２１と、切欠き部３２１の縁部に連結され、幅方向に延びる下地当接部３２２とによって構成されている。この構成の場合、ブラケット３２の下端面３２ｂは、庇本体部３０の底面３０ｂに接する（高さが一致する）。
【００５５】
受入れ部３２０の下地当接部３２２は、たとえば、切欠き部３２１の上縁部から幅方向に延びている。この場合、軒天下地３６が、下方から受入れ部３２０の切欠き部３２１に嵌め入れられることで、軒天下地３６の上面が下地当接部３２２に当接される。軒天下地３６は、下地当接部３２２の位置に、下面側からネジなどの固定具が挿通されることによって、下地当接部３２２に固定される。
【００５６】
軒天下地３６が庇本体部３０に取り付けられると、軒天下地３６に、軒天井面６０を構成する軒天ボード（底板面材）６１が固定される（工程Ｐ１２）。
【００５７】
上述のように、本実施の形態では、軒天下地３６の下面の高さ、すなわち庇本体部３０の底面３０ｂの高さは、階間躯体部１０の下面１０ａと同じ高さである。また、図１６に示されるように、入隅空間９の天井下地面９０ａの高さも、階間躯体部１０の下面１０ａと同じ高さである。天井下地面９０ａは、天井下地９１の下面上（天井下地９１の下面の延長面上）に位置する屋内側天井下地面である。したがって、庇本体部３０の底面３０ｂは、階間躯体部１０の下面１０ａおよび入隅空間９の天井下地面９０ａと、面一状に配置されている。
【００５８】
したがって、図１７に示されるように、軒天井面６０だけでなく、入隅空間９の天井面９０も構成するように、一続きの軒天ボード６１が配置される。より具体的には、庇３の突出長さ（庇本体部３０の底面３０ｂの奥行き寸法）よりも長さを有する軒天ボード６１が、庇本体部３０の底面３０ｂと天井下地面９０ａとの双方に固定される。つまり、軒天下地３６および天井下地９１に、一枚の軒天ボード６１を固定することで、庇本体部３０の底面３０ｂと天井下地面９０ａとが、一枚の軒天ボード６１によって一体的に覆われる。
【００５９】
図１７に示されるように、入隅空間９の外壁２Ａの隣接する２つの面には、軒天ランナー６７，６８がそれぞれ設けられている。軒天ボード６１の屋内側端部、および幅方向端部の一部は、軒天ランナー６７，６８にそれぞれ係合される。軒天ボード６１の屋外側端部は、庇本体部３０の鼻隠し材３７（図２）の下端部に係合されてもよい。なお、入隅空間９の横幅よりも外側に位置する庇本体部３０の底面３０ｂには、庇３の突出長さとほぼ同じ長さを有する軒天ボード６２が、軒天井面６０を構成する部分にのみ配置される。
【００６０】
図１７では、たとえば庇本体部３０の分割ユニットごとに、軒天ボード６１が設けられる例が示されているが、幅方向に隣接する２つのユニットの底面３０ｂを跨って、１枚の軒天ボード６１が配置されてもよい。
【００６１】
上述のように、本実施の形態によれば、外壁面材２２よりも下方に位置する庇支持部材４０に、庇本体部３０が取り付けられる。そのため、庇本体部３０を取り付ける前に、外壁面材２２を階間躯体部１０に固定する作業を行うことができる。したがって、外壁面材２２を施工する際に庇３（庇本体部３０）が邪魔になることがないため、容易に外壁面材２２を施工することができる。また、外壁面材２２を介さずに庇本体部３０を固定することができるため、庇３の内部への浸水リスクを低減することができる。また、十分な固定強度を得ることができる。
【００６２】
また、庇支持部材４０は、庇本体部３０の固定のための係合固定部材４８が係合される被係合部４０ｂ，４０ｃを有しているため、庇本体部３０のメンテナンスの際にも、庇本体部３０の着脱を容易に行うことができる。なお、本実施の形態では、係合固定部材４８は、単品の部材として説明したが、庇本体部３０に予め取り付けられてもよい。つまり、係合固定部材４８は、庇本体部３０の構成に含まれてもよい。
【００６３】
また、庇支持部材４０には、庇本体部３０のフック部３５を掛止するための被掛止部として貫通穴４０ａが設けられているため、庇本体部３０を仮固定することができる。庇本体部３０が仮固定されると、庇本体部３０を本固定する際に、作業者が重量物である庇本体部３０を支える必要がないため、庇本体部３０の固定作業を省力化することができる。なお、フック部３５が掛止される被掛止部は、貫通穴４０ａに限定されない。
【００６４】
また、本実施の形態では、外壁面材２２の下端部と庇本体部３０との取合い部の水切構造として、上部水切５０、下部水切５３、およびカバー材７０の３つの水切材が配置されている。したがって、本実施の形態によれば、取合い部における雨仕舞も十分である。
【００６５】
また、本実施の形態によれば、庇本体部３０の底面３０ｂが、階間躯体部１０の下面１０ａおよび入隅空間９の天井下地面９０ａと面一状となるように、庇本体部３０が取り付けられている。したがって、上述のように、庇３の軒天井面６０と、入隅空間９の天井面９０とを、１枚の軒天ボード６１によって構成することができる。その結果、庇３の軒天井面６０と入隅空間９の天井面９０とが、継ぎ目なく一体的に形成されるため、軒天井全体の美観を向上させることができる。
【００６６】
なお、軒天ボード６１は、階間躯体部１０の下面１０ａを跨いで配置されればよく、庇本体部３０の底面３０ｂの領域全体と、天井下地面９０ａの領域全体とを覆うものでなくてもよい。たとえば、庇本体部３０の底面３０ｂの領域全体と天井下地面９０ａの領域の一部とに軒天ボード６１が配置される場合、天井下地面９０ａの残りの領域には、別途、屋内天井面材（図示せず）が配置されてもよい。この場合でも、屋内天井面材の板厚と軒天ボード６１の板厚とが同じであれば、軒天ボード６１と屋内天井面材とが面一状に配置されるため、美観を維持することができる。
【００６７】
また、本実施の形態では、軒天下地３６は、庇本体部３０のブラケット３２の下端部に設けられた受入れ部３２０に受入れられるため、軒天下地３６の奥行き方向の移動が規制される。したがって、軒天下地３６の位置決めが容易となるため、庇本体部３０に軒天下地３６を容易に取付けることができる。なお、受入れ部３２０の構成は、上記構成に限定されない。
【００６８】
たとえば、図１８に示されるように、受入れ部３２０Ａは、ブラケット３２の下端面３２ｂから下方に突出する一対の下地当接部３２３として形成されてもよい。一対の下地当接部３２３の間隔は、軒天下地３６の奥行き寸法とほぼ同じである。なお、この場合、ブラケット３２の下端面３２ｂの高さは、庇本体部３０の底面３０ｂよりも高い位置となる。
【００６９】
上記のような、庇本体部３０の底面３０ｂと入隅空間９の天井下地面９０ａとを面一状とする建物の階間構造は、庇本体部３０以外の突出部材に対しても適用することができる。突出部材には、たとえば、２階の外壁２Ｂよりもさらに屋外側へ突出するベランダ（本体部）が含まれる。
【００７０】
また、本実施の形態では、階間躯体部１０の屋外側に断熱材２１を有する外張り断熱工法による建物を例に説明したが、このような建物に限定されない。つまり、階間躯体部１０の屋外面に隣接する壁部材は、断熱材２１でなくてもよい。または、外壁面材２２が、階間躯体部１０の屋外面に隣接して配置されてもよい。
【００７１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７２】
２Ａ，２Ｂ  外壁、３，３Ａ，３Ｂ  庇、５  水切部材、９  入隅空間、１０  階間躯体部、１１  胴差部、１２  垂れ壁下地、１３  縦桟材、１４  柱、１５  下地部材、１６  防水シート、１８  化粧柱、２０  外装部材、２１  断熱材、２２  外壁面材、２３  通気層、３０  庇本体部、３１  取付け面、３２  ブラケット、３３  屋根面、３３ａ  屋内側端部、３４  鍔部、３５  フック部、３６  軒天下地、３７  鼻隠し材、４０  庇支持部材、４０ｂ，４０ｃ  被係合部、４１，４２，４５  躯体固定部、４３，４４  庇取付け部、４８  係合固定部材、４９  プレカット面材、５０  上部水切、５０ａ  通気孔、５３  下部水切、６０  軒天井面、６１，６２  軒天ボード、６７，６８  軒天ランナー、７０  カバー材、７４，７５  湿式シール材、９０  屋内側天井面、９０ａ  天井下地面、９１  天井下地、３２０，３２０Ａ  受入れ部、３２１  切欠き部、３２２，３２３  下地当接部。
【図１】
0006047114.tif 000002
【図２】
0006047114.tif 000003
【図３】
0006047114.tif 000004
【図４】
0006047114.tif 000005
【図５】
0006047114.tif 000006
【図６】
0006047114.tif 000007
【図７】
0006047114.tif 000008
【図８】
0006047114.tif 000009
【図９】
0006047114.tif 000010
【図１０】
0006047114.tif 000011
【図１１】
0006047114.tif 000012
【図１２】
0006047114.tif 000013
【図１３】
0006047114.tif 000014
【図１４】
0006047114.tif 000015
【図１５】
0006047114.tif 000016
【図１６】
0006047114.tif 000017
【図１７】
0006047114.tif 000018
【図１８】
0006047114.tif 000019